(57)【要約】【課題】支持部材の把手状の後側取付部がその基端位置を中心に曲がって変形することを回避したエアコン室外機の屋根置台を提供すること。【解決手段】傾斜屋根Ｒ上において、傾斜屋根Ｒの傾斜方向と直角の方向を長手方向として配置される後側座板１及び前側座板と、後側座板１と前側座板との間に架け渡される、エアコン室外機を載置する支持部材３とを備えている。そして、支持部材３は、その後端部が後側座板１に載置固定される把手状の後側取付部４６として形成されている。また、後側座板１は、傾斜屋根Ｒ上に支持される基礎壁部１２と、支持部材３の後側取付部４６を載置して垂直方向のボルト１５で固定する水平の取付壁部１１とを有している。さらに、基礎壁部１２は、傾斜屋根Ｒによる支持点Ｘ２、Ｘ３がボルトの位置Ｘ１より前側になるように形成されている。【選択図】図１
2007263508.tif 000002
【特許請求の範囲】
【請求項１】
傾斜屋根上において、傾斜屋根の傾斜方向と直角の方向を長手方向として配置される後側座板及び前側座板と、後側座板と前側座板との間に架け渡される、エアコン室外機を載置する支持部材とを備え、
該支持部材は、その後端部が後側座板に載置固定される把手状の後側取付部として形成され、
前記後側座板は、傾斜屋根上に支持される基礎壁部と、支持部材の後側取付部を載置して垂直方向のボルトで固定する水平の取付壁部とを有し、
基礎壁部は、傾斜屋根による支持点が前記ボルトの位置より前側になるように形成されている
ことを特徴とするエアコン室外機の屋根置台。
【請求項２】
前記支持部材は、前後方向に水平に配置されるエアコン載置用のベースを有し、
このベースは、水平壁と側壁とにより略コ字状断面に形成され、
前記後側取付部は、このベースの後端部の側壁の下方部を切り欠くことにより把手状に形成されている
ことを特徴とする請求項１記載のエアコン室外機の屋根置台。
【請求項３】
前記ベースは、水平壁の下面側に前後方向の１本又は複数本のリブを有することを特徴とする請求項２記載のエアコン室外機の屋根置台。
【請求項４】
前記後側座板は、基礎壁部が傾斜屋根に沿って後側に立ち上げられて取付壁部の後端に連結されるとともに基礎壁部の前端と取付壁部の前端とが連結壁部により連結されて、筒状に形成されていることを特徴とする請求項１〜３の何れか１項に記載のエアコン室外機の屋根置台。
【請求項５】
前記後側座板は、基礎壁部が傾斜屋根に沿って後側に立ち上げられて取付壁部の後端に連結されるとともに基礎壁部の前端と取付壁部の前端とが連結壁部により連結されて、筒状に形成され、
さらに、前記ベースの後側取付部の基端位置を形成する、側壁の後端部の後端面が後側座板の連結壁部に近接又は接触するように構成されている
ことを特徴とする請求項２又は３記載のエアコン室外機の屋根置台。
【請求項６】
前記後側座板は、基礎壁部が傾斜屋根に沿って後側に立ち上げられて取付壁部の後端に連結されるとともに基礎壁部の前端と取付壁部の前端とが連結壁部により連結されて、筒状に形成され、
さらに、前記ベースの後側取付部の基端位置を形成する、略コ字状を形成する側壁の後端部の下端面が後側座板の一部に近接又は接触するように形成されている
ことを特徴とする請求項２又は３記載のエアコン室外機の屋根置台。
【請求項７】
前記後側座板の取付壁部には、前記ボルトの頭部又はこのボルトに螺合するナットをスライド可能に収納する溝部が形成されていることを特徴とする請求項４〜６の何れか１項に記載のエアコン室外機の屋根置台。
【請求項８】
前記溝部は、取付壁部と連結壁部とが連結される角部かつ筒状体の内部側に突出して形成されていることを特徴とする請求項７記載のエアコン室外機の屋根置台。
【請求項９】
前記後側座板は、長手方向を押出方向として押出成型されたものであることを特徴とする請求項１〜８の何れか１項に記載のエアコン室外機の屋根置台。
【発明の詳細な説明】
【技術分野】
【０００１】
本発明は、エアコン室外機の屋根置台に関し、傾斜屋根上において、傾斜屋根の傾斜方向と直角の方向を長手方向として配置される後側座板及び前側座板と、後側座板と前側座板との間に架け渡される、エアコン室外機を載置する支持部材とを有するエアコン室外機の屋根置台に関する。
【背景技術】
【０００２】
従来、エアコン室外機の屋根置台として、傾斜屋根上において、傾斜屋根の傾斜方向と直角の方向を長手方向として配置される後側座板及び前側座板と、後側座板と前側座板との間に架け渡される、エアコン室外機を載置する支持部材とを備えたものが知られている。なお、本明細書において前後左右の方向をいうときは、傾斜屋根の低い側から見た方向をいうものとする。したがって、後側座板は傾斜屋根の高い側に配置され、前側座板は傾斜屋根の低い側に配置される。
【０００３】
この場合における支持部材は、一般的には、エアコン室外機を載置する水平に配置されるベースと、このベースの前端部を下方から支持するためのステーとを備えていた。また、このようなエアコン室外機の屋根置台においては、後側座板及び前側座板は、傾斜角度の異なる傾斜屋根に対し常に一定の部分で支持されるように構成されていた。また、このような構成とするために、ベースの後端部を後側座板に対し回動可能に連結するとともに、ステーの下端部を前側座板に回動可能に連結することが一般的に行われていた。このようなものとしては、例えば、特許文献１がある。
【０００４】
ところが、近年、支持部材と後側座板との取付構造及び支持部材と前側座板との取付構造を回動可能としない簡略化構造によりコスト軽減を図ったものが出回り始めている。これらは、上記各取付構造を回動可能とせずに単に固定する構造を採用している。この例としては、非特許文献１に記載されたものがある。これを図１４乃至図１７に基づき説明する。
【０００５】
図１４は、エアコン室外機の屋根置台の据付状態における斜視図である。この図に示すように、この屋根置台では、後側座板１０１、前側座板１０２及び一対の支持部材１０３を備えている。後側座板１０１は、傾斜屋根Ｒの高い側、すなわち、傾斜屋根Ｒの後側に配置されるものであって、傾斜屋根Ｒの傾斜方向と直角方向を長手方向として配置されている。また、前側座板１０２は、傾斜屋根Ｒの低い側、すなわち、傾斜屋根Ｒの前側に配置されるものであって、傾斜屋根Ｒの傾斜方向と直角方向を長手方向として配置されている。さらに、一対の支持部材１０３は、エアコン室外機を載置するものであって、後側座板１０１と前側座板１０２との間に架け渡されている。この支持部材１０３は、エアコン室外機を載置するベース１０４と、このベース１０４の前端側を支持するステー１０５と、傾斜屋根Ｒの傾斜角度に対応してベース１０４とステー１０５との角度を設定するとともに支持部材１０３の補強部材として機能する調整板１０６とから形成されている。
【０００６】
後側座板１０１は、図１５に示すように、基礎壁部１１１により傾斜屋根Ｒ上に支持されている。また、この基礎壁部１１１は、鉛直に形成された鉛直部１１１ａと傾斜屋根Ｒ上に位置する底辺部１１１ｂとを円弧状の曲面部１１１ｃで連結した形状を成している。この基礎壁部１１１は、曲面部１１１ｃで傾斜屋根Ｒ上に支持されるように構成されている。また、後側座板１０１は、この傾斜屋根Ｒ上に延びる底辺部１１１ｂから上方に立ち上げられた前後一対の立上壁部１１２、１１３により前後が支持された溝部１１４を有している。溝部１１４は、支持部材１０３を取り付けるためのボルト１１５の頭部１１５ｂを長手方向に摺動可能に収納する摺動部１１４ｂと、この摺動部１１４ｂの上方に形成された、ボルト１１５のねじ部１１５ａを上方に突出させるスリット１１４ａとからなる。このように取り付けられたボルト１１５を所定位置に摺動し、ナット１１６を締結することにより、支持部材１０３が後側座板１０１に取り付けられている。なお、後側座板１０１には、図１４に示すように傾斜屋根Ｒとの接触部に屋根足１１７が取り付けられている。
【０００７】
前側座板１０２は、この後側座板１０１と同一のものであって、基礎壁部１２１により傾斜屋根Ｒ上に支持されるように、前後方向の向きを変えて載置されている。前側座板１０２における溝部１２４には、後述するようにステー１０５の下端部が取り付けられる。このため、前側座板１０２は、溝部１２４のスリット１２４ａの開口面をステー１０５の取付角度に合わせるように傾斜屋根Ｒに取り付けられる。なお、溝部１２４及びスリット１２４ａは後側座板における溝部１１４及びスリット１１４ａに該当する。また、前側座板１０２には、図１４に示すように傾斜屋根Ｒとの接触部に屋根足１２７が取り付けられている。
【０００８】
支持部材１０３を構成するベース１０４は、図１４に示すように、上面を形成する帯状の水平壁１４１とこの水平壁１４１の幅方向両側、すなわち左右両側に形成された側壁１４２とを有し、下方を開放したコ字状に形成されている。水平壁１４１には、防振材取付用の長孔１４４が形成され、この長孔１４４にエアコン室外機を載置する防振材（図示せず）が取り付けられる。
【０００９】
また、ベース１０４の後端部は、支持部材１０３を後側座板１０１に取り付けるための、水平把手状の後側取付部１４５として形成されている。すなわち、後側取付部１４５は、図１５に示すように、ベース１０４の後端部の側壁１４２の下方部を切り欠いて、水平把手状に形成されている。この切欠は、より具体的には、ベース１０４の後端面から階段状に切り欠かれ、これにより側壁１４２に高段差１４６ａと低段差１４６ｂとを形成し、高段差１４６ａ、低段差１４６ｂ間に側壁１４２の高さ方向の寸法を小さくした低側壁１４２ａを形成している。また、後側取付部１４５は、高段差１４６ａと低段差１４６ｂとで溝部１１４を挟むようにして低側壁１４２ａ部分が溝部１１４の上面に載置される。また、ベース１０４の固定のために、後側取付部１４５の水平壁１４１にはボルト孔１４７が形成されている。後側取付部１４５を固定するときは、先ず、高段差１４６ａと低段差１４６ｂとで溝部１１４を挟む。これにより、水平壁１４１が低側壁１４２ａを介して溝部１１４のスリット１１４ａを上方から塞ぐように載置される。ここで、溝部１１４の摺動部１１４ｂ内に頭部１１５ｂが収納されたボルト１１５のねじ部１１５ａを、水平壁１４１のボルト孔１４７に挿通させ、上部からナット１１６を締結する。このようにして、ベース１０４の水平把手状の後側取付部１４５が後側座板１０１に取り付けられる。
【００１０】
ステー１０５は、ベース１０４の前端部を下方から支持するものであって、その上端部がベース１０４の前端部に回動可能に取り付けられている。このステー１０５は、図１４と図１６とから分かるように、断面形状がＨ型であって、Ｈ型の中央に形成される中間壁部１５１とその両側に垂設される側壁１５２とを備えている。また、ステー１０５の右側の側壁１５２には、調整板１０６をステー１０５の長手方向の適宜の位置で固定するための溝部１５３（図１４参照）が形成されている。なお、溝部１５３に対する調整板１０６の固定位置を上下に変更することにより、傾斜屋根Ｒの傾斜に対応してステー１０５の角度を変更してベース１０４を水平に保持するように構成されている。
【００１１】
ステー１０５の下端部には、支持部材１０３を前側座板１０２に取り付けるための前側取付部１５４が形成されている。前側取付部１５４は、図１６に示すように、Ｈ型を形成する両側壁１５２（この場合後側の側壁）を方形状に切り欠くことにより、側壁１５２に一対の高さ方向の段差１５５が形成されている。そして、ボルト１２５の頭部を収納する溝部１２４をこの一対の段差１５５で挟み込んで、ステー１０５の下端部、すなわち支持部材１０３の前側取付部１５４が前側座板１０２に取り付けられている。
【００１２】
以上のように構成された屋根置台は、図１４に示すように、針金１６１により建築物の壁面に繋留して保持されている。
【特許文献１】特開２００３−１８５１９２号公報
【非特許文献１】”クーラーキャッチャー  Ｃ−ＹＵＧ−ＡＬ型据付説明書”、株式会社キャッチャー、２００５年２月
【発明の開示】
【発明が解決しようとする課題】
【００１３】
ところで、上記構成の従来の屋根置台は、図１７における破線矢印Ａで示すように、ベース１０４の側壁１４２を切り欠いて形成した把手状の後側取付部１４５の基端位置（高段差１４６ａの位置）Ｙａを中心として、時計回りに変形し易いうことが分かった。また、その原因を分析したところ、把手状の後側取付部１４５の形状、特に応力集中の生じる基端位置Ｙａの形状に影響することは勿論であるが、後側座板１０１の形状にも影響されることが分かった。すなわち、上記従来の屋根置台の後側座板１０１は、鉛直部１１１ａと底辺部１１１ｂとを連結する曲面部１１１ｃにて、傾斜屋根Ｒに支持されるようにしていた。このため、傾斜屋根Ｒに支持される支持点Ｙ２は、常にボルト１１５の締結位置Ｙ１より後側にあり、高段差１４６ａの位置との間の距離が大きくなっていた。この結果、支持点Ｙ２に作用する傾斜屋根Ｒからの反力Ｆによる後側取付部１４５の基端位置Ｙａに作用する曲げモーメントＭｂが大きくなっていたことに起因することが分かった。なお、従来の後側座板１０１は、その形状から見て、鉛直部１１１ａを建築部の壁面に直接取り付ける点、ベース１０４の端部を水平状に取り付けるために溝部１１４の上面を水平にする点、いろいろの傾斜角度の傾斜屋根Ｒに対応し得るように、鉛直部１１１ａと底辺部１１１ｂとを連結する曲面部１１１ｃを形成する点などについては考慮されていた。しかし、従来の後側座板１０１においては、後側取付部１４５の基端位置に作用する曲げモーメントＭｂを小さくしてベース１０４の変形を抑制しようとする点について考慮されたものがなく、そのような技術的思想が全くなかった。
【００１４】
本発明は、従来品のこのような問題に鑑み成されたものであって、その目的は、支持部材の把手状の後側取付部が基端位置を中心に曲がって変形することを抑制したエアコン室外機の屋根置台を提供することにある。
【課題を解決するための手段】
【００１５】
本発明に係るエアコン室外機の屋根置台は、傾斜屋根上において、傾斜屋根の傾斜方向と直角の方向を長手方向として配置される後側座板及び前側座板と、後側座板と前側座板との間に架け渡される、エアコン室外機を載置する支持部材とを備えている。そして、支持部材は、その後端部が後側座板に載置固定される把手状の後側取付部として形成されている。また、後側座板は、傾斜屋根上に支持される基礎壁部と、支持部材の後側取付部を載置して垂直方向のボルトで固定する水平の取付壁部とを有している。さらに、基礎壁部は、傾斜屋根による支持点が前記ボルトの中心線より前側になるように形成されている。
【００１６】
このように構成された本発明に係るエアコン室外機の屋根置台によれば、傾斜屋根が基礎壁部を支持する支持点が、取付壁部において後側取付部を固定するボルトの位置より前に形成されている。このため、強度的に最も弱い後側取付部の基端位置を中心点とする後側座板の回転力が発生し、この回転力による曲げモーメントが後側取付部の基端位置に作用することになるが、基礎壁部を支持する支持点と後側取付部の基端位置との距離が小さくなり、この曲げモーメントを小さくすることができる。なお、傾斜屋根が基礎壁部を支持する支持点を後側取付部の基端位置より前側にする形状にすれば、この曲げモーメントは全くなくなる。
【００１７】
また、上記構成において、前記支持部材は、前後方向に水平に配置されるエアコン載置用のベースを有し、このベースを、水平壁と側壁とからなる略コ字状に形成されている。そして、このベースの後端部において、略コ字状を形成する側壁の下方部を切り欠くことにより把手状の後側取付部が形成されている。したがって、支持部材の把手状の後側取付部を簡略な構成としながら、後側取付部の変形を抑制することができる。
【００１８】
また、このベースにおける水平壁の下面側に、前後方向の１本又は複数本のリブを形成してもよい。このようにすれば、後側取付部の基端部の曲げに対する強度を向上させることができ、その変形の抑制効果を向上させることができる。
【００１９】
また、後側座板は、基礎壁部が傾斜屋根に沿って後側に立ち上げられて取付壁部の後端に連結されるとともに基礎壁部の前端と取付壁部の前端とが連結壁部により連結されて、筒状に形成したものとしてもよい。前述のように、傾斜屋根による基礎壁部の支持点を、後側取付部のボルト位置より前方にすると基礎壁部の下方部の前後方向の寸法が小さくなる。このために、後側座板の強度及び剛性が低下すると、後側取付部の変形抑制効果が減殺される。しかしながら、上記のように構成すると、後側座板の強度及び剛性を向上させることができ、後側取付部の変形抑制効果を発揮させることができる。
【００２０】
また、このように後側座板が筒状に形成されるとともに、支持部材を構成するベースの後端部における側壁の下方部を切り欠くことにより、把手状の後側取付部が形成されたものにおいて、後側取付部の基端位置を形成する側壁後端面が後側座板の連結壁部に近接又は接触するように構成されていることが好ましい。このようにすれば、後側座板の反時計方向への変形をより厳格に規制することができるので、後側取付部の変形をより一層抑制することができる。
【００２１】
また、後側座板が筒状に形成されるとともに、支持部材を構成するコ字状ベースの後端部における側壁の下方部を切り欠くことにより、把手状の後側取付部が形成されたものにおいて、後側取付部の基端位置を形成する側壁後端部の下端面を後側座板の一部に近接又は接触するようにしてもよい。このようにすれば、ベースの側壁後端部の下方への動きが規制されるので、後側座板とベースとの一体性が向上し、後側取付部の変形をより一層抑制することができる。
【００２２】
また、前記後側座板の取付壁部に、前記ボルトの頭部又はこのボルトに螺合するナットをスライド可能に収納する溝部を形成してもよい。このようにすれば、後側取付部の取付作業が容易になるばかりでなく、溝部により後側座板の強度及び剛性を向上させることができる。これにより、後側座板による後側取付部の変形抑制効果を十分に発揮させることができる。
【００２３】
また、この溝部を、取付壁部と連結壁部とが連結される角部かつ筒状体の内部側に突出して形成するようにすることもできる。このようにすれば、取付壁部と連結壁部との角部が強化されるので、後側座板の強度及び剛性をより一層向上させることができる。これにより、後側座板による後側取付部の変形抑制効果を十分に発揮させることができる。
【００２４】
また、前記後側座板を、長手方向を押出方向として押出成型したものとすることができる。このように、押出成形品とすれば、折り曲げ式のものに比し繋ぎ目がなく強度及び剛性が向上するとともに見栄えが向上する。
【発明の効果】
【００２５】
本発明に係るエアコン室外機の屋根置台によれば、傾斜屋根による後側座板の支持点が支持部材の後側取付部の固定ボルトの位置より前側にあるため、把手状の後側取付部がその基端位置を中心に曲がるような変形が生じない。
【発明を実施するための最良の形態】
【００２６】
（実施の形態１）
以下、本発明を具体化した実施の形態１に係るエアコン室外機の屋根置台を図面に基づいて説明する。実施の形態１に係るエアコン室外機の屋根置台は、エアコン室外機を、長手方向が傾斜屋根の傾斜方向と直角の方向となるように設置するものである。このエアコン室外機の屋根置台は、図２の本実施の形態に係るエアコン室外機の据付状態の斜視図に示すように、後側座板１と、前側座板２と、一対の支持部材３とを有している。後側座板１は、傾斜屋根Ｒの後側（高い側）に配置されて、傾斜屋根Ｒの傾斜方向と直角方向を長手方向として配置される。前側座板２は、傾斜屋根Ｒの前側（低い側）に配置されて、傾斜屋根Ｒの傾斜方向と直角方向を長手方向として配置される。支持部材３は、エアコン室外機を載置するものであって、後側座板１と前側座板２との間に架け渡される。また、支持部材３は、エアコン室外機を載置するベース４とこのベース４の前端側を支持するステー５と、ベース４の前端部とステー５の下端部との間に架け渡される補強部材６とから形成されている。
【００２７】
後側座板１は、図１〜図４、図６及び図７に示すように、略水平に形成された取付壁部１１と、傾斜屋根Ｒにより支持されるとともに後端が取付壁部１１に連結された基礎壁部１２と、取付壁部１１の前端と基礎壁部１２の前端とを連結するように鉛直に形成された連結壁部１３とにより筒状体に形成されている。
【００２８】
取付壁部１１は、上面が帯状の平面に形成されている。この上面は、支持部材３の取付面として形成されている。そして、この取付壁部１１には長手方向に延びる溝部１４が形成されている。溝部１４は、支持部材３を取り付ける締結具としてのボルト１５の頭部１５ｂを長手方向に摺動可能に収納する摺動部１４ｂと、この摺動部１４ｂの上部に形成されたボルト１５のねじ部１５ａを上方空間に突出させるスリット１４ａとを有している。ボルト１５としては六角ボルトが使用されている。摺動部１４ｂは、この六角ボルトの頭部１５ｂを長手方向に摺動可能とする断面四角形の空間に形成されている。
【００２９】
スリット１４ａは、ボルト１５のねじ部１５ａを上方向に突出させることができ、ボルト１５の頭部１５ｂが上方にはみ出さないようにするものである。このために、スリット１４ａの幅は、ボルト１５のねじ径よりは少し大きく形成され、ボルト１５の頭部１５ｂの平行側面間の長さより小さく形成されている。また、摺動部１４ｂの幅寸法は、ボルト１５の頭部１５ｂの平行側面間の長さより大きく、ボルト１５の頭部１５ｂの対角間の長さより小さく形成されている。また、摺動部１４ｂの高さ寸法は、ボルト１５の頭部１５ｂの厚みより大きく、ボルト１５の頭部１５ｂの平行側面間の長さより小さく形成されている。このような摺動部１４ｂ及びスリット１４ａを形成する溝部１４は、スリット１４ａを取付壁部１１の上面に開口するとともに、後側座板１の長手方向全長に亘って形成されている。また、溝部１４は、摺動部１４ｂが筒状体の内側となるように取付壁部１１において内側に突出するように形成されるとともに、取付壁部１１と連結壁部１３とを連結する角部位置に形成されている。この結果、溝部１４を構成する壁体と、取付壁部１１の前端部及び連結壁部１３の上端部を形成する壁体とが一体化されて形成されている。
【００３０】
後側座板１の基礎壁部１２は、傾斜屋根Ｒ上に支持される壁部を構成しているが、その後端部は傾斜屋根Ｒに沿いながら立ち上げられて取付壁部１１の後端側に連結されている。基礎壁部１２の前方下方部１２ａが略水平に形成されているが、傾斜屋根Ｒによる支持点を前方に位置させるために、基礎壁部１２の後側部１２ｂが急激に立ち上げられている。また、基礎壁部１２において前方下方部１２ａと後側部１２ｂとの繋ぎは曲面部１２ｃにより接続されており、この曲面部１２ｃ付近が支持点になるように形成されている。
【００３１】
基礎壁部１２における傾斜屋根Ｒによる支持点は、図１に示されるように、傾斜屋根Ｒの傾斜角度により位置が変わる。支持点Ｘ２は傾斜角度が最大と想定されている場合のものであり、支持点Ｘ３は傾斜角度が最小と想定されている場合のものである。そして、これら支持点Ｘ２、Ｘ３は、前述の支持部材３を固定するボルト１５の位置Ｘ１より前側になるように基礎壁部１２の形状が設定されている。なお、基礎壁部１２は、傾斜屋根Ｒによる支持点Ｘ２、Ｘ３を上記のような位置関係とするために下方部の前後幅が狭くなっている。
【００３２】
連結壁部１３は、取付壁部１１の前端と基礎壁部１２の前端とを連結するように、取付壁部１１の前端から下方に向けて鉛直に形成されている。また、その高さは、後述するベース４の前端部における側壁４２の段差４７（図１参照）の高さ寸法と略一致するように形成されている。なお、基礎壁部１２には、連結壁部１３より前方に突出した第１突出部１７と、取付壁部１１より上方に突出した第２突出部１８とが形成されている。
【００３３】
また、後側座板１には、傾斜屋根Ｒとの接触部に屋根足１９が取り付けられる。屋根足１９は、後側座板１が瓦の上に載置されることにより瓦を損傷させないようにするためのクッション機能を有する、樹脂製の保護具である。この実施の形態における屋根足１９は、図４に示すように、両端にＵ字状に折り曲がった係合部が形成され、この係合部が前述の第１突出部１７及び第２突出部１８に係合することにより、後側座板１に取り付けられている。また、この屋根足１９は、傾斜屋根Ｒ上における滑り止め効果が良好となるように、表面が側方から見て波状に形成されている。
【００３４】
前側座板２は、この後側座板１と類似形状のものであって、前後方向の向きを変えて傾斜屋根Ｒ上に載置され支持されている。前側座板２は、図２、図３及び図５に示すように、取付壁部２１、基礎壁部２２、溝部２４と、ボルト２５、ナット２６、屋根足２９を有している。これらは、それぞれ後側座板１における取付壁部１１、基礎壁部１２、溝部１４、ボルト１５、ナット１６、屋根足１９に該当する。ただし、基礎壁部２２の形状が後側座板１のものと多少異なる。すなわち、前側座板２における基礎壁部２２は、図５に示すように、取付壁部２１と連結壁部２３とにはそれぞれ略直角に交わって連結され、その間が大きな円弧で繋がれている。この円弧は、後側座板１における円弧に比し長く形成されている。
【００３５】
また、基礎壁部２２の第１突出部２７及び第２突出部２８は、それぞれ基礎壁部１２の構成要素である第１突出部１７及び第２突出部１８に対応する。また、溝部２４のスリット２４ａ及び摺動部２４ｂは、それぞれ溝部１４のスリット１４ａ及び摺動部１４ｂに該当する。さらに、ボルト２５のねじ部２５ａ及び頭部２５ｂは、ボルト１５のねじ部１５ａ及び頭部１５ｂに該当する。ただし、前側座板２における溝部２４には、後述するように支持部材３の前端部、すなわち、ステー５の下端部が取り付けられる。このため、前側座板２は、溝部２４のスリット２４ａ開口面がステー５の取付角度に一致するように傾斜屋根Ｒに設置される。
【００３６】
支持部材３を構成するベース４は、図１〜図４に示すように、後側座板１から前方に伸びるように配置されている。このベース４は、図８に示すように、水平に配置された平面状かつ帯状の水平壁４１と、この水平壁４１の幅方向の側方に鉛直下方向に垂設された側壁４２とを備えた略コ字状に形成されている。また、水平壁４１の下面側には、図４及び図８に示すように、高さの小さい２本のリブ４３が長手方向全長に亘り形成されている。また、水平壁４１には、図２に示すように、エアコン室外機の防振材４４を取り付けるための長孔４５が前後２箇所に形成されている。
【００３７】
また、ベース４の後端部には、支持部材３を後側座板１に取り付けるための把手状の後側取付部４６が形成されている。後側取付部４６は、図１及び図４に示すように、ベース４の後端部において、側壁４２の下方部を方形状に切り欠いて側壁４２に高さ方向の段差４７を形成している。このようにして、側壁４２の高さを低くした低側壁４２ａを形成することにより、把手状に形成したものである。したがって、この実施の形態における後側取付部４６の基端位置Ｘａは、高さ方向の段差４７が形成されている位置となる。なお、この低側壁４２ａの高さはリブ４３の高さと略同一に形成されている。
【００３８】
後側取付部４６は、低側壁４２ａが形成されている部分をいい、取付壁部１１の上方に載置され、低側壁４２ａを介して水平壁４１の端部が取付壁部１１に固定されるように構成されている。なお、支持部材３（ベース４）の固定部として、後側取付部４６の水平壁４１にはボルト孔４８が形成されている。
【００３９】
後側取付部４６を固定するときは、溝部１４のスリット１４ａを上方から覆うように、低側壁４２ａ及びリブ４３を介して後側取付部４６の水平壁４１を溝部１４上に載置する。このとき、溝部１４の摺動部１４ｂ内に頭部１５ｂが収納されたボルト１５のねじ部１５ａを、このボルト孔４８に挿通させ、上部からナット１６を締結する。これにより、後側取付部４６が後側座板１に取り付けられる。
【００４０】
また、このような取付状態においては、後側取付部４６基端位置Ｘａにある側壁４２の後端部付近の下端面が基礎壁部１２の第１突出部１７に近接又は接触するように形成されている。さらに、後側取付部４６基端位置Ｘａにある側壁４２の後端面は、連結壁部１３の外表面に近接又は接触するように形成されている。これにより、後側座板１０１が段差４７の上端コーナ部を中心にして反時計方向へ回転する力をより小さくすることができる。
【００４１】
支持部材３を構成するステー５は、傾斜角度の異なる傾斜屋根Ｒにおいて、ベース４を常に水平状に支持するためのものである。このために、ステー５は、その長さを調節可能とするとともに、ベース４との取付角度を可変とするように構成されている。
【００４２】
すなわち、ステー５は、長さを調節可能とする構成として、図２及び図３に示すように、上ステー７と、この上ステー７を前面から覆うように構成された下ステー８とから構成されている。上ステー７は、図２に示す状態における背面を開放側とした断面形状がＵ字型（図９参照）の型材により形成され、前面壁部７１の背部に２本のリブ７２が長手方向に延びるように形成されている（図９参照）。ステー５は、傾斜屋根Ｒの傾斜角度が緩いときには、図１１のような状態となるので、図２における背面は下方を向いた背面となる。
【００４３】
リブ７２は、図９に示すように、底辺部が互いに向き合う方向に折り曲げられている。この折り曲げられたリブ７２が向かい合う空間には、上ステー７と下ステー８との取付用のナット（図示せず）がリブ７２により回転が阻止される状態となって収納される。また、上ステー７の下方部にはボルト７４を挿通させるためのボルト孔７３が形成されている（図９参照）。
【００４４】
また、上ステー７の上端部は、図２、図３及び図１１に示すように、ベース４の前端部における側壁４２に挟持されるとともに、上ステー７とベース４との角度を可変とするように回動可能にボルト止めされている。
【００４５】
下ステー８は、上ステー７を前方から覆うように組み立てるために、上ステー７と同様のＵ字型断面形状であって、一回り大きく形成されている。そして、前面壁部８１の背部には２本のリブ８２が長手方向に形成され（図１０参照）、このリブ８２の幅方向中央部には、長手方向に延びる長孔８６が形成されている（図２、図３及び図１０参照）。上ステー７と下ステー８との固定は、下ステー８の前方から、長孔８６及び上ステー７のボルト孔７３にボルト７４のねじ部が挿通され、ボルト孔７３の背部にナットを配置して締結することにより、上ステー７を長孔８６の任意の位置で固定できるように構成されている。
【００４６】
また、下ステー８の下端部には、図２、図３及び図５に示すように、ステー５の下端部を前側座板２に取り付けるための把手状の前側取付部８４が形成されている。この前側取付部８４は、図５に示すように、下ステー８の下端部の側壁８３を方形状に切り欠いて段差８５を形成することにより、側壁８３の高さを低くした低側壁８３ａを形成したものである。さらに、前側取付部８４は、低側壁８３ａを前側座板２の取付壁部２１の前方に載置し、この低側壁８３ａを介して前面壁部８１の端部を前側座板２の取付壁部２１に固定するように構成されている。そして、低側壁８３ａの高さとリブ８２の高さとを揃えている。また、下ステー８の固定のために、前側取付部８４の前面壁部８１にはボルト孔８７が形成されている。
【００４７】
前側取付部８４を固定するときは、溝部２４のスリット２４ａを前方から覆うように、低側壁８３ａ及びリブ８２を介して前側取付部８４の前面壁部８１を溝部２４の前方に載置する。このとき、溝部２４の摺動部２４ｂ内に頭部２５ｂが収納されたボルト２５のねじ部２５ａを、下ステー８のボルト孔８７に挿通させ、前方からナット２６を締結する。これにより、下ステー８の前側取付部８４、すなわち、ステー５の下端部が前側座板２に取り付けられる。また、このような取付状態においては、前側取付部８４の段差８５を成す側壁８３の下端面が連結壁部２３に当接するように形成されている。
【００４８】
支持部材３を構成する補強部材６は、図２及び図３に示すように、断面Ｌ字状の型材から形成されている。また、補強部材６は、後端側がベース４の後端部における側壁４２に回動可能に取り付けられるとともに、前端側が下ステー８の下端部における側壁８３に回動可能に取り付けられている。したがって、本実施の形態における支持部材３は、ベース４の前端部と下ステー８の下端部との距離が一定に保持される。
【００４９】
なお、上記構成の後側座板１、前側座板２、ベース４、上ステー７、下ステー８、及び補強部材６は、それぞれ長手方向に押し出されるアルミニウム製押出成型品として形成されている。
【００５０】
以上のように構成された屋根置台は、次のようにして組み立てられる。
先ず、支持部材３を予め一対それぞれ組み立てる。この組立は、先ず、ベース４の前端部に上ステー７の上端部を回動可能に連結する。また、補強部材６の後端側をベース４の後端部の側壁４２に回動可能に固定し、補強部材６の前端側を下ステー８の下端部の側壁８３に回動可能に固定する。次いで、組み立てた支持部材３の後端部、つまり支持部材３の把手状の後側取付部４６を後側座板１に取り付けるとともに、支持部材３の前端部、つまり支持部材３の前側取付部８４を前側座板２に取り付ける。
【００５１】
支持部材３の後側取付部４６の取付は、図２〜図４に示すように、先ず、ベース４取付用のボルト１５のねじ部１５ａが上方に突出するように、後側座板１の溝部１４の摺動部１４ｂにボルト１５の頭部１５ｂを収納し、所定位置まで摺動させる。次に、後側取付部４６における水平壁４１を、リブ４３及び低側壁４２ａを介して後側座板１の取付壁部１１に載置する。このとき後側取付部４６の水平壁４１のボルト孔４８にボルト（六角ボルト）１５のねじ部１５ａを挿通させる。次いで、上方からナット１６を締結する。このようにして、一対の支持部材３の後側取付部４６を後側座板１に仮固定する。また、このように仮固定されたときには、後側取付部４６の基端位置Ｘａに位置する側壁４２の後端部付近の下端面は、基礎壁部１２の第１突出部１７に近接又は接触し、側壁４２の後端面は、後側座板１の連結壁部１３の外表面に近接又は接触する状態となる。
【００５２】
また、支持部材３の前端部（つまり前側取付部８４）の取付は、図２、図３及び図５に示すように、先ず、下ステー８取付用のボルト（六角ボルト）２５のねじ部２５ａが前方に突出するように、前側座板２の溝部２４にボルト２５の頭部２５ｂを収納し、所定位置まで摺動させる。次に、下ステー８の前側取付部８４における前面壁部８１を、リブ８２及び低側壁８３ａを介して前側座板２の取付壁部２１に沿わせるように載置する。このとき前側取付部８４の前面壁部８１のボルト孔８７にボルト２５のねじ部２５ａを挿通させる。次いで、前方からナット２６を締結する。このようにして、一対の支持部材３の前端部（つまり、前側取付部８４）を前側座板２に仮固定する。このように仮固定されると、前側取付部８４の段差８５を成す側壁８３の下端面が前側座板２の連結壁部２３に当接して支持される。
【００５３】
以上のようにして仮組みされた屋根置台を傾斜屋根Ｒの上に持ち上げ、所定の位置に後側座板１及び前側座板２が配置されるように屋根置台を載置する。次いで、後側座板１及び前側座板２の傾斜屋根Ｒに接触する部分に屋根足１９、２９を取り付ける。屋根足１９、２９は、基礎壁部１２、２２の第１突出部１７、２７及び第２突出部１８、２８に屋根足の端部の係合部を係合させて取り付けられる。次に、図２に示すように、後側座板１を針金９１により建築物の壁面に繋留して保持する。針金９１の一端はヒートン釘９２により建築物の壁面に固定され、他端は後側座板１に巻き付けて固定される。そして、傾斜屋根Ｒの傾斜に対応してベース４が水平に保持されるように、ステー５の高さを調節する。また、支持部材３が所定位置に固定されているかを確認する。以上のように組み立てられ、据え付けられた屋根置台には、ベース４の上面に防振材４４が固定される。
【００５４】
図３は傾斜角度が大きい傾斜屋根Ｒ上に設置されたときの側面図であり、図１１は傾斜角度が小さい傾斜屋根Ｒ上に設置されたときの側面図である。これら図から分かるように、ステー５を長くすることにより、傾斜角度の大きい傾斜屋根Ｒに対応することができる。このとき、後側座板１は、ベース４が水平に保持されることから、取付壁部１１が常に水平方向となっている。しかし、傾斜屋根Ｒの傾斜角度が変化すると、基礎壁部１２における傾斜屋根Ｒによる支持点Ｘ２が変化する。この支持点Ｘ２は、図１から分かるように傾斜角度が小さくなるほど前の方に移動する。
【００５５】
なお、後側座板１と類似のものを使用している前側座板２は、ステー５の取付角度の変化に対応して、側方から見た長手方向を軸とする水平面に対する傾斜角度が変化する。これは、図３と図１１とを対比して見るとよく分かる。傾斜角度が大きい傾斜屋根Ｒのときは図３に示すように、前側座板２は、取付壁部２１の平面部の水平面に対する傾斜角度が大きくなる。これに対し、傾斜角度が小さい傾斜屋根Ｒのときは図１１に示すように、前側座板２は、取付壁部２１の平面部の水平面に対する傾斜角度が小さくなるように、長手方向を軸として回転する。このため、前側座板２の基礎壁部２２における傾斜屋根Ｒとの接触部も傾斜屋根Ｒの傾斜角度により変化している。
【００５６】
次に、以上のように構成されたエアコン室外機の屋根置台における後側取付部の基端位置Ｘａに作用する力について図１を参照して説明する。
エアコン室外機の荷重により、屋根Ｒからの反力Ｆが支持点Ｘ２、Ｘ３において後側座板１に作用していると考えられる。この反力Ｆによる後側座板１の回転力が段差により強度的に最も弱い把手状の後側取付部４６の基端位置Ｘａに作用すると考えられる。この作用により基端位置Ｘａに作用する曲げモーメントＭａは、基端位置Ｘａと支持点Ｘ２との間の距離をｄ２、基端位置Ｘａと支持点Ｘ３との間の距離をｄ３とすると次のようになる。なお、後側座板１の支持点Ｘ２、Ｘ３は、基礎壁部１２の形状の工夫により、傾斜屋根Ｒの傾斜角度の大きい場合でも、あるいは小さい場合でもボルトの位置Ｘ１より前方に位置するように設定されている。つまり、距離ｄ２及びｄ３は、後側取付部４６の基端位置Ｘａとボルト１５の位置Ｘ１との間の距離ｄ１より小さく設定されている。したがって、後側座板１の回転力により基端位置Ｘａに作用する曲げモーメントＭａは、Ｍａ＝Ｆ・ｄ２、又は、Ｍａ＝Ｆ・ｄ３となり、従来に比し小さくすることができる。
【００５７】
以上のように構成されたエアコン室外機の屋根置台によれば、次の効果を奏することができる。
（１）本実施の形態１に係るエアコン室外機の屋根置台によれば、傾斜屋根Ｒによる基礎壁部１２の支持点Ｘ２、又はＸ３が、取付壁部１１における後側取付部４６を固定するボルト１５の位置Ｘ１より前に形成されている。このため、強度的に最も弱い後側取付部４６の基端位置Ｘａを中心点とする後側座板１の回転力が発生し、この回転力による曲げモーメントＭａが後側取付部４６の基端位置Ｘａに作用することになるが、この曲げモーメントＭａは反時計方向となる。したがって、従来のように後側取付部４６が基端位置Ｘａを中心に時計方向に曲がるような変形は生じない。また、上記の反時計方向の曲げモーメントＭａが後側座板１の回転作用により後側取付部４６に伝達されることになるが、基礎壁部１２を支持する支持点Ｘ２と後側取付部４６の基端位置Ｘａとの距離が小さくなり、この曲げモーメントＭａを小さくすることができる。
【００５８】
（２）また、支持部材３は、前後方向に水平に配置されるエアコン載置用のベース４を有し、このベース４は、水平壁４１と側壁４２とから略コ字状断面に形成されている。そして、このベース４の後端部において、略コ字状を形成する側壁４２の下方部を切り欠いて側壁４２を低くして、この低側壁４２ａ部分を支持部材３の把手状の後側取付部４６としている。したがって、支持部材３におけるエアコン室外機を載置するベース４及び後側取付部４６の構成を簡略にしながら、後側座板１の反時計方向への回転を抑制し、その結果として後側取付部４６の変形を抑制することができる。
【００５９】
（３）また、ベース４の水平壁４１の下面側には、前後方向のリブ（この場合２本のリブ）が形成されているので、後側取付部４６の基端位置Ｘａを中心とする曲げ変形をより一層抑制することができる。また、ベース４のリブ４３の高さと、低側壁４２ａの高さとを揃えているので、後側取付部４６において、ベース４に掛かる荷重をリブ４３及び低側壁４２ａにより略均一に支持することができる。これにより、後側取付部４６の基端位置付近の強度がより一層向上する。
【００６０】
（４）また、本実施の形態においては、後側座板１は、基礎壁部１２が傾斜屋根Ｒに沿って後側に立ち上げられて取付壁部１１の後端に連結されるとともに、基礎壁部１２の前端と取付壁部１１の前端とが連結壁部１３により連結されて、筒状に形成されている。このため、後側座板１の強度及び剛性を向上させることができ、後側取付部４６の変形をより確実に抑制することができる。
【００６１】
（５）また、ベース４の後側取付部４６の基端位置Ｘａを形成する、略コ字状を形成する側壁４２の後端部の後端面が後側座板１の連結壁部１３に近接又は接触するように構成されている。このため、後側座板１の反時計方向への変形をより厳格に規制することができるので、後側取付部４６の変形をより一層抑制することができる。
【００６２】
（６）また、ベース４の後側取付部の基端位置を形成する、略コ字状を形成する側壁４２の後端部の下端面を後側座板１の一部分に近接又は接触するようにしている。このため、ベース４における側壁４２の後端部は下方への動きが規制される。これにより、後側座板１とベース４との一体性が向上し、後側取付部４６の変形をより一層抑制することができる。
【００６３】
（７）後側座板１の取付壁部１１に、ボルト１５の頭部１５ｂ又はこのボルト１５に螺合するナット１６をスライド可能に収納する溝部１４を形成しているので、後側取付部４６の取付作業が容易になる。また、この溝部１４により後側座板１の強度及び剛性をさらに向上させることができ、後側座板１による後側取付部４６の変形抑制効果を十分に発揮させることができる。
【００６４】
（８）溝部１４が、取付壁部１１と連結壁部１３との連結角部の内部側に突出して形成されているので、取付壁部１１と連結壁部１３との角部が強化される。これにより、後側座板１の強度及び剛性をより一層向上させることができ、後側座板１による後側取付部４６の変形抑制効果を十分に発揮させることができる。
【００６５】
（９）また、後側座板１を、長手方向を押出方向として押出成型した押出成形品としているので、折り曲げ式板金ものに比し繋ぎ目がなく強度及び剛性が向上するとともに、見栄えが向上する。また、後側座板１と共に、前側座板２及び支持部材３を構成するベース４、ステー５、補強部材６も総てアルミニウム材料を使用した押出成型としているので、軽量かつ見栄えが良好となる。
【００６６】
（実施の形態２）
次に、実施の形態２について、図１２に基づき説明する。図１２は、実施の形態２に係る屋根置台の据付状態における後側座板周りの断面図である。なお、この図面において実施の形態１と共通する要素には、実施の形態１と同一の符号を使用するとともに、その説明を省略又は簡略化する。
【００６７】
実施の形態２に係る屋根置台は、後側座板１を変更したものである。すなわち、実施の形態１では、溝部１４を構成する摺動部１４ｂにベース４を取り付ける締結具としてのボルト１５の頭部１５ｂが収納されていた。これに対し、実施の形態２では、ナット１６を摺動部１４ｂに摺動可能に収納し、このナット１６に対し溝部１４の上方外側からボルト１５を締結するように構成したものである。
【００６８】
より具体的には、図１２に示すように、溝部１４の摺動部１４ｂには、ボルト１５に締結されるナット１６がスリット１４ａからはみ出さないように摺動可能に収納されている。また、この摺動部１４ｂの下方には、ナット１６に締結されるボルト１５のねじ部１５ａの下方部を収納するための収納突部１４ｃが形成されている。
【００６９】
このために、実施の形態２においては、摺動部１４ｂの幅寸法は、ナット１６の平行側面間の長さ寸法より大きく、ナット１６の対角間の長さ寸法より小さく形成されている。また、摺動部１４ｂの高さ寸法は、ナット１６の厚みより大きく、ナット１６の平行側面間の長さより小さく形成されている。なお、この条件を満足することを前提として、摺動部１４ｂの幅寸法及び高さ寸法を実施の形態１の場合と同一とすることができる。また、スリット１４ａの幅寸法は、ボルト１５のねじ部１５ａを貫通させ得る寸法であればよく、基本的に実施の形態１の場合と同一でよい。
【００７０】
この実施の形態２において、後側座板１に支持部材３を取り付ける場合は、先ず、後側取付部４６の水平壁４１のボルト孔４８に対し、上方からボルト（六角ボルト）１５のねじ部１５ａを挿通させる。次いで、このボルト１５のねじ部１５ａの下方部に、つまりボルト１５の頭部１５ｂとの間に距離をおいてナット１６を緩く仮締結する。この状態にしたナット１６を摺動部１４ｂの端部から挿入して所定位置まで摺動させ、その位置でボルト１５とナット１６とを締結する。これにより、支持部材３が後側座板１に対し所定位置に固定される。
【００７１】
このように構成された実施の形態３に係るエアコン室外機の屋根置台は、ボルト１５の頭部１５ｂを摺動可能に摺動部１４ｂに収納することに代えて、ナット１６を摺動部１４ｂに摺動可能に収納したものである。また、そのために後側座板１の構造及び支持部材３の取付手順が上記のように部分的に相違するが、この点を除いては前述の実施の形態１における作用効果と同一の作用効果を奏することができる。
【００７２】
（実施の形態３）
次に、実施の形態３について、図１３に基づき説明する。図１３は、実施の形態３の屋根置台における後側座板周りの断面図である。なお、この図面における実施の形態１と共通する構成要素には、実施の形態１と同一の符号を使用するとともに、その説明を省略又は簡略化する。
【００７３】
実施の形態３では、ベース４の側壁４２の高さ寸法が後側座板１の連結壁部１３の高さ寸法より小さい場合の後側座板１の他の例を示すものである。この実施の形態３では、図１３のように、後側座板１の連結壁部１３に段部１３ａを形成している。そして、後側取付部４６の基端位置Ｘａを形成するベース４の側壁４２の下端面が連結壁部１３の段部１３ａの上面に近接又は接触するように構成されている。また、後側取付部４６の基端位置Ｘａを形成する側壁４２の後端面が段部１３ａより上方の連結壁部１３に近接又は接触するように構成されている。なお、実施の形態３における他の構成は実施の形態１と同一である。
【００７４】
したがって、実施の形態３において構成した場合にも、実施の形態１の場合と同様の効果を奏することができるものである。特に、ベース４の側壁４２の後端部は、実施の形態１の場合と同様に、後方及び下方への動きが規制されるので、後側座板とベースとの一体性が向上し、後側取付部４６の変形をより一層抑制することができる。
【００７５】
以上説明した本実施の形態に係るエアコン室外機の屋根置台は、一例を示すものであり、本発明の範囲内において適宜変更できるものである。例えば、次のように変形することができる。
【００７６】
（１）上記各実施の形態において、基礎壁部１２は同一の形状に形成されているが、傾斜屋根Ｒによる支持点Ｘ２、Ｘ３をボルト１５の位置Ｘ１より前側にできる形状であれば特に限定されるものではない。
【００７７】
（２）上記各実施の形態において、後側座板１の連結壁部１３は、取付壁部１１の前端から基礎壁部１２の前端に対し鉛直に形成される構成とされているが、取付壁部１１の前端が基礎壁部１２の前端と一致していないような場合には斜面で形成してもよい。また、連結壁部１３と取付壁部１１あるいは基礎壁部１２との連結位置も正確に端部である必要はなく、端部近傍などの他の位置でもよい。
【００７８】
（３）上記各実施の形態において、後側座板１は、溝部１４が筒状体内の取付壁部１１と連結壁部１３との角部に形成されているが、溝部１４は取付壁部１１の幅方向の中間に設けられたものとしてもよい。ただし、筒状体の強度の面からは角部に設けるほうが好ましい。
【００７９】
（４）前記各実施の形態において、後側座板１、前側座板２、ベース４、ステー５及び補強部材６をアルミニウム又はアルミニウム合金製ではなく、他の軽金属材料や鉄系金属製とすることもできる。
【００８０】
（５）上記各実施の形態において、ベース４とステー５とは別物として形成されているが、ステー５部分をベース４の脚部として一体的に、又は組立式に形成することもできる。また、この場合において、脚部は高さ可変とすればよい。
【００８１】
（６）上記各実施の形態において、ベース４は、前記実施の形態では平面状かつ帯状の水平壁４１の両側に鉛直下方に形成された側壁４２を形成したものであるが、幅方向の片方に側壁４２を形成したものでもよい、また、側壁４２は、鉛直ではなく、斜めに傾斜しているものでもよい。また、両側の側壁４２の高さが同一のものでなくてもよい。
【００８２】
（７）上記各実施の形態において、ベース４にリブ４３が２本形成されているが、このリブ４３は１本でも３本以上でもよい。また、省略することも可能である。
（８）前記各実施の形態において、エアコン室外機を、エアコン室外機の長手方向が傾斜屋根Ｒの傾斜方向に直交する方向に設置される例で示しているが、エアコン室外機の長手方向が傾斜屋根Ｒの傾斜方向に一致する方向に、エアコン室外機を設置する屋根置台に変更することもできる。
【産業上の利用可能性】
【００８３】
本発明に係るエアコン室外機の屋根置台は、傾斜屋根の上に設置されるエアコン室外機の置台として利用される。エアコン室外機は、家庭用、業務用を問わない。
【図面の簡単な説明】
【００８４】
【図１】本発明の実施の形態１に係るエアコン室外機の屋根置台における後側取付部への力関係を説明する図面である。
【図２】同屋根置台の据付状態の斜視図である。
【図３】同屋根置台の側面図であって、傾斜屋根の傾斜角度が大きい傾斜屋根上に据え付けられた状態のものである。
【図４】同屋根置台における後側座板周りの断面図である。
【図５】同屋根置台における前側座板周りの断面図である。
【図６】同屋根置台における後側座板の正面図である。
【図７】同屋根置台における後側座板の側面図である。
【図８】同屋根置台におけるベースの断面図である。
【図９】同屋根置台における上ステーの断面図である。
【図１０】同屋根置台における下ステーの断面図である。
【図１１】同屋根置台の側面図であって、傾斜屋根の傾斜角度が小さい傾斜屋根上に据え付けられた状態のものである。
【図１２】実施の形態２に係る屋根置台の据付状態における後側座板周りの断面図である。
【図１３】実施の形態３に係る屋根置台の据付状態における後側座板周りの断面図である。
【図１４】従来例に係るエアコン室外機の屋根置台の据付状態における斜視図である。
【図１５】同屋根置台における後側座板周りの断面図である。
【図１６】同屋根置台における前側座板周りの断面図である。
【図１７】同屋根置台における後側取付部への力関係を説明する図面である。
【符号の説明】
【００８５】
Ｒ…傾斜屋根、Ｘａ…（後側取付部の）基端位置、Ｘ１…ボルトの位置、Ｘ２、Ｘ３…支持点、１…  後側座板、２…前側座板、３…支持部材、４…ベース、１１…取付壁部、１２…基礎壁部、１３…連結壁部、１４…溝部、１５…ボルト、１５ｂ…頭部、１６…ナット、４１…水平壁、４２…側壁、４３…リブ、４６…後側取付部。
【図１】
2007263508.tif 000003
【図２】
2007263508.tif 000004
【図３】
2007263508.tif 000005
【図４】
2007263508.tif 000006
【図５】
2007263508.tif 000007
【図６】
2007263508.tif 000008
【図７】
2007263508.tif 000009
【図８】
2007263508.tif 000010
【図９】
2007263508.tif 000011
【図１０】
2007263508.tif 000012
【図１１】
2007263508.tif 000013
【図１２】
2007263508.tif 000014
【図１３】
2007263508.tif 000015
【図１４】
2007263508.tif 000016
【図１５】
2007263508.tif 000017
【図１６】
2007263508.tif 000018
【図１７】
2007263508.tif 000019